(57)【要約】【課題】  レンズ以外の部材を用いてシフトレバー通路開口を照明するシフトレバー装置の提供。【解決手段】  光源２０と、光源２０からの光を拡散してシフトポジション表示５２を照明するレンズ３０と、シフトレバー通路開口５１の縁の全周または一部に配置されレンズ３０を介して光源２０からの光を導入してシフトレバー通路開口５１を照明する光拡散部材４０と、を有する。光拡散部材４０でシフトレバー通路開口５１の縁の全周または一部を照明でき、レンズ３０でシフトレバー通路開口５１を照明する場合に比べて、１つの光源２０でシフトレバー通路開口５１をぼんやりと比較的弱い光で光らせることができる。【選択図】        図１
2005212576.tif 000002
【特許請求の範囲】
【請求項１】
光源と、
前記光源からの光を拡散してシフトポジション表示を照明するレンズと、
シフトレバー通路開口の縁の全周または一部に配置され、前記レンズを介して前記光源からの光を導入して前記シフトレバー通路開口を照明する光拡散部材と、
を有するシフトレバー装置。
【発明の詳細な説明】
【技術分野】
【０００１】
本発明は、車両用シフトレバー装置に関する。
【背景技術】
【０００２】
光源からの光で、Ｐ（パーキング）、Ｒ（リバース）、Ｎ（ニュートラル）、Ｄ（ドライブ）等のシフトポジションを照明するとともに、シフトレバー装置のハウジングに形成されたシフトレバー通路開口を光らせたシフトレバー装置は、たとえば特開平１０−２１７７９６号公報に開示されている。
【０００３】
シフトポジション表示は、シフト位置を示すものであるため、強く光らせたい。また、シフトポジション表示は、比較的近くにまとまって配置されており、隣接するシフトポジション間に光を遮る部材等はない。そのため、透明のレンズで光源からの光を拡散してシフトポジション表示を照明するのが一般的である。
シフトレバー通路開口は、シフトポジション表示のように明確に表示する必要はなく、明るいとかえって目障りとなる。また、シフトレバー通路開口を縁どるように光らせることが望ましい。
【０００４】
しかし、上記公報に開示されたシフトレバー装置では、レンズを用いてシフトレバー通路開口を照明しているので、シフトレバー通路開口が明るすぎるおそれがある。また、シフトレバー通路開口の形状が複雑な場合に開口全周を光らせようとすると、２つ以上の光源を用いたり、１つの光源からの光を反射板を用いて反射させる必要がある。
【特許文献１】特開平１０−２１７７９６号公報
【発明の開示】
【発明が解決しようとする課題】
【０００５】
本発明が解決しようとする問題点は、シフトレバー通路開口をレンズを用いて照明することである。
本発明の目的は、レンズ以外の部材を用いてシフトレバー通路開口を照明するシフトレバー装置を提供することにある。
【課題を解決するための手段】
【０００６】
上記目的を達成する本発明はつぎの通りである。
（１）  光源と、
前記光源からの光を拡散してシフトポジション表示を照明するレンズと、
シフトレバー通路開口の縁の全周または一部に配置され、前記レンズを介して前記光源からの光を導入して前記シフトレバー通路開口を照明する光拡散部材と、
を有するシフトレバー装置。
【発明の効果】
【０００７】
上記（１）のシフトレバー装置では、光拡散部材でシフトレバー通路開口の縁の全周または一部を照明する。そのため、レンズでシフトレバー通路開口を照明する場合（従来）に比べて、１つの光源でシフトレバー通路開口をぼんやりと比較的弱い光で光らせることができる。
【発明を実施するための最良の形態】
【０００８】
本発明実施例のシフトレバー装置を、図１、図２を参照して説明する。
本発明実施例のシフトレバー装置１０は、直線状の１本のシフトレバー通路からなるストレート式のシフトレバー装置であってもよく、ジグザグ形状の１本のシフトレバー通路からなるゲート式のシフトレバー装置であってもよく、複数本のシフトレバー通路を有しＳ位置、＋位置、−位置を有するシーケンシャルタイプのシフトレバー装置であってもよい。なお、図示例では、シフトレバー装置１０がゲート式のシフトレバー装置である場合を示している。
本発明実施例のシフトレバー装置１０は、図１に示すように、光源２０と、レンズ３０と、光拡散部材４０とを、有する。シフトレバー装置１０は、さらに、シフトレバー通路開口５１を有するハウジング５０と、ベース６０を有する。
【０００９】
光源２０は、たとえば、バルブ、発光ダイオード、ＥＬ（エレクトロルミネッセンス）等からなる。ただし、光源２０は、これらに限定されるものではない。光源２０は、ハウジング５０またはベース６０に取付けられる。
【００１０】
レンズ３０は、光源２０からの光を拡散してシフトポジション表示５２を照明する。レンズ３０は、光源２０によりシフトポジション表示５２全体を光らせるために配置されている。レンズ３０は、ハウジング５０またはベース６０に固定して取付けられる。レンズ３０は、シフトポジション表示５２より下方に位置し、光源２０より上方に位置する。レンズ３０は、透明樹脂材料からなる。レンズ３０は、無色であってもよく、着色されていていもよい。
レンズ３０は、光拡散部材４０に対向する面３０ａに、光源２０からの光を光拡散部材４０に出す出光部３１を有する。出光部３１は、面３０ａの全体にわたって設けられていてもよく、面３０ａの一部にのみ設けられていてもよい（図示例では、出光部３１が面３０ａの一部にのみ設けられている場合を示している）。出光部３１が面３０ａの一部にのみ設けられる場合、出光部３１は面３０ａに１個または複数設けられている。出光部３１は、光拡散部材４０に接近する方向に突出して設けられている。出光部３１の突出方向先端面は、平面である。
【００１１】
光拡散部材４０は、シフトレバー通路開口５１の縁の全周または一部に配置され、シフトレバー通路開口５１の縁の全周または一部を照明する。光拡散部材４０は、ハウジング５０またはベース６０に固定して取付けられる。光拡散部材４０は、レンズ３０と同じかまたはほぼ同じ上下方向位置に配置されている。光拡散部材４０は、透明樹脂中に粒子を分散させたもの等からなる。ただし、光拡散部材４０の製造方法は、これに限定されるものではなく、本発明の目的（レンズ３０以外の部材でシフトレバー通路開口５１を照明）を達成できるのであれば、他の公知の製造方法で製造されていてもよい。光拡散部材４０が透明樹脂中に粒子を分散させたものからなる場合、透明樹脂は無色であってもよく着色されていてもよい。
光拡散部材４０は、レンズ３０に対向する面４０ａに、出光部３１からの光を内部に入れる導光部４１を有する。導光部４１は、面４０ａの全体にわたって設けられていてもよく、面４０ａの一部にのみ設けられていてもよい（図示例では、導光部４１が面４０ａの一部にのみ設けられている場合を示している）。導光部４１が面４０ａの一部にのみ設けられる場合、導光部４１は、出光部３１に接近する方向に突出して設けられている。導光部４１の突出方向先端面は、出光部３１の突出方向先端面と対向する平面である。光拡散部材４０は、レンズ３０を介して光源２０からの光を導入する。
【００１２】
ハウジング５０は、図示略の車両に固定されるベース６０の上部に固定されている。ハウジング５０は、ベース６０と別体に形成されてベース６０に固定して取付けられている。ハウジング５０は、シフトレバー装置１０の意匠面を形成する。
シフトレバー通路開口５１は、ハウジング５０を上下方向に貫通している。
シフトポジション表示５２は、シフトレバー装置１０の意匠面に設けられている。シフトポジション表示５２は、ハウジング５０に取付けられるパネルに設けられる。
【００１３】
本発明実施例の作用、効果を説明する。
シフトポジション表示５２を強く光らせ、シフトレバー通路開口５１を弱く（やわらかく）光らせるために、シフトポジション表示５２をレンズ３０を用いて照明し、シフトレバー通路開口５１を光拡散部材４０を用いて照明することが有効である。
光拡散部材４０でシフトレバー通路開口５１の縁の全周または一部を照明するため、レンズ３０でシフトレバー通路開口５１を照明する場合（従来）に比べて、１つの光源２０でシフトレバー通路開口５１の全周または一部をぼんやりと比較的弱い光（やわらかい光）で光らせることができる。
【００１４】
また、光拡散部材４０を用いて照明するため、シフトレバー通路開口５１の形状が複雑な形状である場合でも、レンズ３０を介して光源２０からの光を光拡散部材４０の内部に入れることができれば、シフトレバー通路開口５１の縁の全周または一部を均一に光らせることができる。
光拡散部材４０を用いてシフトレバー通路開口５１を照明するため、レンズ３０で複雑な形状に対応する必要はなく、レンズ３０の形状は、簡単かつ小型形状でよい。
光源２０はシフトポジション表示５２とシフトレバー通路開口５１の両方を光らせるため、シフトレバー通路開口５１のみを照明するために新たに光源を設ける必要はない。
【図面の簡単な説明】
【００１５】
【図１】本発明実施例のシフトレバー装置の平面図である。
【図２】図１のＡ−Ａ線断面図である。
【符号の説明】
【００１６】
１０  シフトレバー装置
２０  光源
３０  レンズ
３１  出光部
４０  光拡散部材
４１  導光部
５０  ハウジング
５１  シフトレバー通路開口
５２  シフトポジション表示
６０  ベース
【図１】
2005212576.tif 000003
【図２】
2005212576.tif 000004